(57)【要約】【課題】原稿を照明する光源を筐体に固定し、光源からの光は、一体型走査光学系ユニットの方向に照射する画像読取装置または画像形成装置を提供する。【解決手段】一つの移動体である一体型のユニットの筐体６には、第一の照明用ミラー８、第二の照明用ミラー９と画像結像用の折り返しミラー１２と画像結像用レンズ１４と、撮像素子１３とが中に収められ、図示の無いモータなどによって、スキャナ内を往復するように配置されている。リフレクタ付光源４は、固定されている。一体型の走査光学系は第１のポジション１から第２のポジション２まで移動する。光源２２から出た光は平行光用ミラー１０や平行光用のレンズ１１により、平行光になって出射される。この時、光は移動体の動く向きと平行に照射される。【選択図】図２
2008042766.tif 000002
【特許請求の範囲】
【請求項１】
原稿からの光束を反射させる複数のミラーと、
前記複数のミラーで反射された光束を結像させる結像レンズと、
前記結像レンズの結像位置に配置された原稿を読取る読取手段とを一体的に保持する一体型走査光学系ユニットと、
前記一体型走査光学系ユニットを筐体内に収める収納手段と、
前記一体型走査光学系ユニットを走査方向に移動させる移動手段と、
前記原稿の画像情報を読み取る画像情報読取手段とを有する画像読取装置であって、
前記筐体に光源を固定する光源固定手段と、
前記光源固定手段により、前記一体型走査光学系ユニットを介して前記原稿に照射する照射手段とを有することを特徴とする画像読取装置。
【請求項２】
原稿からの光束を反射させる複数のミラーと、
前記複数のミラーで反射された前記光束を結像させる結像レンズと、
前記結像レンズの結像位置に配置された読取手段とを筐体内に収める収納手段と、
前記読取手段を走査方向に移動させて画像情報を読み取る画像情報読取手段とを有する２：１光学系画像読取装置であって、
前記筐体に光源を固定する光源固定手段と、
前記光源固定手段により、前記複数ミラーのうちで最も原稿に近いミラーを積んだユニットを介して前記原稿に照射する照射手段とを有することを特徴とする画像読取装置。
【請求項３】
原稿からの光束を結像させる結像レンズと、
前記結像レンズの結像位置に配置された読取手段とを筐体内に収める収納手段と、
前記読取手段を走査方向に移動させて、前記原稿の画像情報を読み取る画像情報読取手段とを有するＣＩＳ系画像読取装置であって、
前記筐体に光源を固定する光源固定手段と、
前記光源固定手段により、ＣＩＳのユニットを介して前記原稿に照射する照射手段とを有することを特徴とする画像読取装置。
【請求項４】
前記光源から発せられた前記光が前記一体型走査光学系ユニットと、
前記複数ミラーのうちで最も原稿に近いミラーを積んだユニットと、
前記ＣＩＳのユニットとに入射される光量は、いずれかの前記ユニットの位置にかかわらず一定であることを特徴とする請求項１から３のいずれか１項に記載の画像読取装置。
【請求項５】
前記光源を略平行光にする集光手段を有し、前記集光手段により集光された光の照射方向は、キャリッジの走行方向と一致していることを特徴とする請求項１から４のいずれか１項に記載の画像読取装置。
【請求項６】
前記一体型走査光学系ユニットと、
前記複数ミラーのうちで最も原稿に近いミラーを積んだユニットと、
前記ＣＩＳのユニットとは前記原稿に照射する光の照度を均一にする均一手段を有することを特徴とする請求項１から５のいずれか１項に記載の画像読取装置。
【請求項７】
読取可能範囲の主走査方向の端部であり、前記原稿を読取らない箇所に、反射率が一定である部材を少なくとも１以上配置する配置手段を有することを特徴とする請求項１から６のいずれか１項に記載の画像読取装置。
【請求項８】
前記部材からの反射光量を、前記原稿への照射光量の補正値として使用することを特徴とする請求項７に記載の画像読取装置。
【請求項９】
前記原稿への前記照射光量の前記補正値を記憶する記憶手段を有することを特徴とする請求項８に記載の画像読取装置。
【請求項１０】
取外し可能な前記反射率が一定である部材を前記読取範囲に配置する配置手段と、前記部材からの反射光を前記原稿への前記照射光量の補正値として使用することを特徴とする請求項９に記載の画像読取装置。
【請求項１１】
請求項１から１０のいずれか１項に記載の画像読取装置を有することを特徴とする画像形成装置。
【発明の詳細な説明】
【技術分野】
【０００１】
本発明は、一体的に収納した一体型走査光学系ユニットを筐体内に収め、走査方向に移動させて、前記原稿の画像情報を読み取る画像読取装置または画像形成装置に関し、原稿を照明する光源を筐体に固定し、光源からの光は、一体型走査光学系ユニットの方向に照射する画像読取装置または画像形成装置に関する。
【背景技術】
【０００２】
ＣＩＳや折畳式の自走式のスキャナキャリッジ（レンズと読取素子）や２：１光学系画像読取装置においては、光源と光学系が近くにあるため、光源の発生する熱による光学特性への影響が大きかった。
【０００３】
特にＣＩＳや自走式の場合、結像レンズ、ミラー、ＣＣＤなどの読取手段（撮像素子）、等からなる光学系を光源が同一な筐体に入り密封されているため、光源が発生する熱により、結像レンズや読取手段、また、それらを保持する部材に熱が伝わり、素子の形状や位置が熱により変化し、その結果、ピントの合い具合を表すＭＴＦ特性や画像の結像位置を示すレジスト、スキュー、倍率特性、などの結像特性が悪化し、良好な読取画像が得ることができなくなる問題が発生する。
【０００４】
２：１光学系画像読取装置では、密封はされていないものの、光源のそばに原稿を読取るための画像を映すミラーが置かれることが多く、熱によるミラーの変形は結像特性の悪化につながっていた。
【０００５】
また、装置の読取スピードの向上に伴い、スキャンスピードの高速化が必要となったが、駆動源の大型化を防ぐためには、スキャンさせる物の軽量化が必要となっていた。
【０００６】
また、光源には効率的に光量を得るために放電タイプが使われることが多く、様々な種類の物が発明されている。
【０００７】
例えば特許文献１では、複数のＬＥＤ光源の相対的な位置精度を向上させ、安定した光量を供給することにより画質を向上させた一体型と２：１光学系とＣＩＳタイプの画像読取装置が提案されている。
【０００８】
また特許文献２では、光源からの光を導光体に向けて反射させるために、導光体の上部に配置された略平面状の反射体と、光源からの光に照明された原稿像を読取る画像読取り部とを具備し、導光体には、略柱状の複数の溝が形成されていることによって導光体の発光面に集光する、折りたたみタイプで、導光路を使って側面から全面露光可能な画像読取装置が提案されている。
【０００９】
また特許文献３では、原稿台の原稿に光を照射する光源と、光源を載置して原稿台の直下を移動するキャリッジと、原稿台より下の領域の温度を検出により光源およびキャリッジを制御し、定められた第１の闘値以上の温度を検出した場合、光源をオフにした状態でキャリッジを往復移動させる、ファンを使ってスキャナを冷却する画像読取装置が提案されている。
【特許文献１】特開２００４−１７０８５８号公報
【特許文献２】特開２００３−２３４８７３号公報
【特許文献３】特開２００３−２２８１３７号公報
【発明の開示】
【発明が解決しようとする課題】
【００１０】
しかしながら、光源を点灯させる時の放電では高周波の電源を使うため、電気的ノイズの発生が周囲の電気回路に悪影響を及ぼすことが問題となっていた。特に、光源の電源本体や、光源と光源用電源接続ケーブルからのノイズ発生が大きく、光源を移動させる場合には、そのノイズ対策が難しかった。
【００１１】
なお、光源には放電タイプのみではなく、ハロゲンランプのような電球タイプやＬＥＤのような物も使われ、発熱に関する問題は様々な光源で同様な問題を引き起こしている。
【００１２】
例えば特許文献１のように、照明にＬＥＤを使い、消費電力を落とし、結果的に発熱量を下げる方式が提示されているが、発熱源が光学素子のそばにあることには変わりは無く、光源の熱による影響度が大きいといった問題がある。
【００１３】
なお、特許文献２のように、光源を外に出し、全面路光するタイプはあるが、これは透過型の原稿を読むための装置で目的が異なるのと、全面路光の場合は消費電力が大きくなる問題がある。
また、特許文献３のように、ファンを使いスキャナを冷却するタイプもあるが、ファンで風を起こした結果、ゴミを舞い上げ、光学素子にゴミが付着し、結像特性を悪化させ、読取品質を下げる問題がある。
【００１４】
そこで、本発明では上記の課題を解決するため、原稿を照明する光源を筐体に固定し、光源からの光は、一体型走査光学系ユニットの方向に照射し、一体型走査光学系ユニットは、光源から照射された光を原稿に照射する照射手段を有する画像読取装置または画像形成装置を提供することを目的とする。
【課題を解決するための手段】
【００１５】
上記の目的を達成するため、請求項１に記載の発明は、原稿からの光束を反射させる複数のミラーと、前記複数のミラーで反射された光束を結像させる結像レンズと、前記結像レンズの結像位置に配置された原稿を読取る読取手段とを一体的に保持する一体型走査光学系ユニットと、前記一体型走査光学系ユニットを筐体内に収める収納手段と、前記一体型走査光学系ユニットを走査方向に移動させる移動手段と、前記原稿の画像情報を読み取る画像情報読取手段とを有する画像読取装置であって、前記筐体に光源を固定する光源固定手段と、前記光源固定手段により、前記一体型走査光学系ユニットを介して前記原稿に照射する照射手段とを有する画像読取装置であることを特徴とする。
【００１６】
請求項２に記載の発明は、原稿からの光束を反射させる複数のミラーと、前記複数のミラーで反射された前記光束を結像させる結像レンズと、前記結像レンズの結像位置に配置された読取手段とを筐体内に収める収納手段と、前記読取手段を走査方向に移動させて画像情報を読み取る画像情報読取手段とを有する２：１光学系画像読取装置であって、前記筐体に光源を固定する光源固定手段と、前記光源固定手段により、前記複数ミラーのうちで最も原稿に近いミラーを積んだユニットを介して前記原稿に照射する照射手段とを有する画像読取装置であることを特徴とする。
【００１７】
請求項３に記載の発明は、原稿からの光束を結像させる結像レンズと、前記結像レンズの結像位置に配置された読取手段とを筐体内に収める収納手段と、前記読取手段を走査方向に移動させて、前記原稿の画像情報を読み取る画像情報読取手段とを有するＣＩＳ系画像読取装置であって、前記筐体に光源を固定する光源固定手段と、前記光源固定手段により、ＣＩＳのユニットを介して前記原稿に照射する照射手段とを有する画像読取装置であることを特徴とする。
【００１８】
請求項４に記載の発明は、請求項１から３のいずれか１項に記載の画像読取装置において、前記光源から発せられた前記光が前記一体型走査光学系ユニットと、前記複数ミラーのうちで最も原稿に近いミラーを積んだユニットと、前記ＣＩＳのユニットとに入射される光量は、いずれかの前記ユニットの位置にかかわらず一定であることを特徴とする。
【００１９】
請求項５に記載の発明は、請求項１から４のいずれか１項に記載の画像読取装置において、前記光源を略平行光にする集光手段を有し、前記集光手段により集光された光の照射方向は、キャリッジの走行方向と一致していることを特徴とする。
【００２０】
請求項６に記載の発明は、請求項１から５のいずれか１項に記載の画像読取装置において、前記一体型走査光学系ユニットと、前記複数ミラーのうちで最も原稿に近いミラーを積んだユニットと、前記ＣＩＳのユニットとは前記原稿に照射する光の照度を均一にする均一手段を有することを特徴とする。
【００２１】
請求項７に記載の発明は、請求項１から６のいずれか１項に記載の画像読取装置において、読取可能範囲の主走査方向の端部であり、前記原稿を読取らない箇所に、反射率が一定である部材を少なくとも１以上配置する配置手段を有することを特徴とする。
【００２２】
請求項８に記載の発明は、請求項７に記載の画像読取装置において、前記部材からの反射光量を、前記原稿への照射光量の補正値として使用することを特徴とする。
【００２３】
請求項９に記載の発明は、請求項８に記載の画像読取装置において、前記原稿への前記照射光量の前記補正値を記憶する記憶手段を有することを特徴とする。
【００２４】
請求項１０に記載の発明は、請求項９に記載の画像読取装置において、取外し可能な前記反射率が一定である部材を前記読取範囲に配置する配置手段と、前記部材からの反射光を前記原稿への前記照射光量の補正値として使用することを特徴とする。
【００２５】
請求項１１に記載の発明は、請求項１から１０のいずれか１項に記載の画像読取装置を有する画像形成装置であることを特徴とする。
【発明の効果】
【００２６】
本発明によれば、素子の形状や位置が熱により変化することがない光学特性が安定して、高画質な読取画像を得ることができ、省エネルギーに貢献し、移動体の光速化を図り、ノイズ対策が取りやすい、読取特性の悪化を少なくすることができる画像読取装置または画像形成装置を提供することを可能とする。
【発明を実施するための最良の形態】
【００２７】
上記目的を達成するために本実施形態では、原稿を照明する光源を体内に固定し、光源から照射される光の照射方向はユニットであり、ユニットは光源から照射された光を原稿に照射する照射手段を有する画像読取装置または画像形成装置を提供することを目的とする。
【００２８】
次に本発明を実施するための最良な形態について説明する。
【００２９】
（実施形態１）
まず最初に実施形態１について、図１、２を用いて説明する。図１は、本実施形態における一体型走査光学系の構造の全体図を示す。図２は、本実施形態における一体型走査光学系の構造の詳細図を示す。
【００３０】
一つの移動体である一体型のユニットの筐体６には、第一の照明用ミラー８、第二の照明用ミラー９と画像結像用の折り返しミラー（複数枚）１２と画像結像用レンズ１４と、撮像素子のＣＣＤ（読取手段）１３とが中に収められ、図示の無いモータなどによって、スキャナ内を往復するように配置されている。画像の流れ１９は、ミラーを行き来している矢印を示す。また、リフレクタ付光源４は、スキャナ筐体５に固定されている。
【００３１】
一体型の走査光学系は第１のポジション１から第２のポジション２まで移動するが、その際、光源２２はスキャナ筐体５に固定されていて移動はしない。
【００３２】
光源２２から出た光は平行光用ミラー（リフレクタ）１０や平行光用のレンズ１１により、平行光になって出射される。この時、この光は移動体の動く向きと平行に照射される。
【００３３】
ユニットに入光する総光量は一定であるため、ユニットが副走査方向に移動しても原稿を一定の光量で照射することができる。よって、画像を一定の光量で照らすことができるので、画像読取の際、光量ムラのない照射光による、高品質な読取画像を得ることができる。
【００３４】
また、移動体が移動しても常に移動体の同じ場所に平行光が照射されることになり、入射する光量は一定となる。
【００３５】
また、ユニットが副走査方向にスキャンする時に原稿に与える光量を一定に保つことができ、画像を一定の光量で照らすことができるので、画像読取の際、光量ムラのない照射光による、高品質な読取画像を得ることができる。
【００３６】
なお、図には平行光用ミラー１０や平行光用のレンズ１１が両方とも描かれているが、ミラーの曲面の設定やレンズの設定により平行光が作れれば、どちらか一つの配置でも良く、光源自体が平行光を出射出来るようであれば、両方とも配置する必要は無い。
【００３７】
移動体の中には第１の照明用ミラー８、第２の照明用ミラー９があり、第１の照明用ミラー８は、入射した光を原稿台に置かれる原稿面に集光するように平面又は曲面を形成している。第２の照明用ミラー９は、原稿に段差がある時に影を消すために原稿の両側から照射するためのものであり、必要に応じて配置すればよい。
【００３８】
なお、第１の照明用ミラー８、上記のように移動体に入射する光が平行光として設計されている場合は、原稿面に集光するように平面又は曲面を形成すればよいが、拡散光、または集光光として設計した場合でも、原稿面に集光するように平面又は曲面を形成すればよい。
【００３９】
ユニットの走行方向と光源２２からの光の向きが平行になっていない場合でも、ユニットに原稿に照射する光の照度を均一にする手段を持つため、ユニットが副走査方向にスキャンする時に原稿に与える光量を一定に保つことができ、画像を一定の光量で照らすことができるので、画像読取の際、光量ムラのない照射光による、高品質な読取画像を得ることができる。
【００４０】
この際、移動体の位置に関わらず、原稿面に集光するように面を形成する必要がある。この時、照射される光が平行光で、移動体の移動向きと平行に光が照射される場合は第１の照明用ミラー８と照射される光の径大きさの関係はどのようになっていても良いが、照射される光が平行ではないか、もしくは、移動体の移動向きと平行に光が照射されていない場合は、移動体がどの位置にあっても光源２２からの光が第１の照明用ミラー８に全て入光する必要がある。その結果、入光した光を第１の照明用ミラー１が原稿面に集光するように向きを変えるので、原稿面の読取部は移動体が移動しても光量が一定に保たれる。
【００４１】
本実施形態では、光源２２からの熱が、画像結像用レンズ１４や撮像素子１３、また、それらを保持する部材に伝わりにくいので、素子の形状や位置が熱により変化することが少なく、光学的なレイアウトが変形することが少ないので、光学特性が安定し、高品質な読取画像を得ることができる。
【００４２】
また、従来のユニットに乗せることができないような集光効果の高い大型なミラーを使うことができるので、小さな光源で従来と同等の光量を原稿に与えることができ、省エネルギーにも貢献することができる。
【００４３】
また、移動するユニットの重量を軽くすることができるため、移動体の高速化ができる。
【００４４】
また、光源は高周波を発生する物が採用されることが多いが、光源が固定されているため、光源から発生するノイズの対策がとりやすい。
【００４５】
また、光源を冷やすためにファンなどを使用していないため、スキャナ内でゴミを舞い上げることが少なく、その影響によるゴミの付着が原因の読取特性の悪化を少なくすることができる。
【００４６】
（実施形態２）
次に、実施形態２について、図３、４を用いて説明する。図３は、本実施形態における２：１光学系画像読取装置の構造の全体図を示す。図４は、本実施形態における２：１光学系画像読取装置の構造の詳細図を示す。
【００４７】
２：１光学系画像読取装置は、第１の照明用ミラー８と第２の照明用ミラー９と画像結像用第１のミラー２５とが第１のキャリッジ１５（一つの移動体）として形成され、画像結像用第２、３のミラーが第２のキャリッジ１６（もう一つの移動体）として形成されている。この第１キャリッジの構成を詳細に示したのが、図４で、第１のキャリッジの筐体１７は、第１の照明用ミラー８と第２の照明用ミラー９と画像結像用第１ミラー２５を収納している。この２つのキャリッジがスキャナ筐体内５に配置され、原稿を読取る際に動くのであるが、図示しないモータなどで駆動され、その際の第１のキャリッジ１５のスピードは、第２のキャリッジ１６のスピードの２倍になるように構成されている。
【００４８】
これらのキャリッジは第１のポジション１から第２のポジション２まで移動するが、その際、光源２２はスキャナ筐体５に固定されていて移動はしない。
【００４９】
光源２２からの熱が、画像結像用レンズ１４や撮像素子１３、また、それらを保持する部材に伝わりにくいので、素子の形状や位置が熱により変化することが少なく、光学的なレイアウトが変形することが少ないので、光学特性が安定し、高品質な読取画像を得ることができる。
【００５０】
また、従来のユニットに乗せることができないような集光効果の高い大型なミラーを使うことができるので、小さな光源で従来と同等の光量を原稿に与えることができ、省エネルギーにも貢献することができる。
【００５１】
また、移動するユニットの重量を軽くすることができるため、移動体の高速化ができる。
【００５２】
また、光源２２は高周波を発生する物が採用されることが多いが、光源２２が固定されているため、光源２２から発生するノイズの対策がとりやすい。
【００５３】
以降は、実施形態１の動作と同様なので説明を省く。
【００５４】
次に、実施形態３について、図５、６を用いて説明する。図５は、本実施形態におけるＣＩＳ型ユニットの構造の全体図を示す。図６は、本実施形態におけるＣＩＳ型ユニットの構造の詳細図を示す。
【００５５】
（実施形態３）
一つの移動体であるＣＩＳ型ユニットの筐体７の中には、第１の照明用ミラー８、第２の照明用ミラー９と画像結像用レンズ１４と撮像素子１３が、収められ、図示の無いモータなどによって、スキャナ内を往復するように配置されている。
【００５６】
一体型の走査光学系は第１のポジション１から第２のポジション２まで移動するが、その際、光源２２はスキャナ筐体５に固定されていて移動はしない。
【００５７】
以下、実施形態１の説明と同様である。
【００５８】
（実施形態４）
次に、実施形態４について、図７、８、９を用いて説明する。図７は、本実施形態における基準板の第１の構成図を示す。図８は、本実施形態における基準板の第２の構成図を示す。図９は、本実施形態における基準板の第３の構成図を示す。
【００５９】
図７、８、９は、スキャナ全体を上と横から見た図である。移動体は一体型を描いたものである。スキャナの原稿読取範囲２４の周囲（装置外部からは見えないスキャナの内面）には、第１の反射率一定の部材（白基準板１）２０、第２の反射率一定の部材（白基準板２）２１が配置されており、移動体２３からは読取れるようになっている。
【００６０】
移動体２３を主走査方向に延びる第２の反射率一定の部材２１の位置に移動させ、その位置で原稿を読込ませる。読込んだデータは、撮像素子の主走査方向の画素毎の感度のばらつきや、原稿に照射される光量のばらつきにより一定にはなっていない場合があるが、そのデータが一定になるように補正を行ない、原稿の読取りを行なうことで、主走査方向に均一な濃度の画像が得られる。
【００６１】
移動体２３が副走査方向に移動する際、副走査方向に延びる第１の反射率一定の部材２０のデータを読込ませる。読込んだデータは、撮像素子の副主走査方向の原稿に照射される光量のばらつきにより一定にはなっていない場合があるが、一定になるように補正を行なえばよい。
【００６２】
この補正では、副走査方向を連続的に補正したいのであれば、図７にあるように連続的な第１の反射率一定の部材２０を読み取り、連続的に補正を行なえばよい。また、断続的にデータを取得して、段階的に補正を行なっても良いし、断続的なデータからその間を推測して連続的に補正しても良い。なお、段階的なデータを取得する場合は、図８にあるような構成でも良い。
【００６３】
また、原稿読取範囲２４の副走査方向の初めと終わりのみのデータで補正を行なう場合は、図９のような構成でも良い。この場合は、副走査方向の補正のみではなく、副走査方向に移動した時の主走査方向の補正も行なっても良い。この補正を行ない原稿の読取りを行なうことで、副走査方向に均一な濃度の画像が得られる。
【００６４】
なお、この補正値を装置に記憶させ、原稿を読取る際にはこの補正値を使うことで、補正にかかる負荷を軽減させても良い。
【００６５】
また、この補正は、原稿を読み取る毎に行なってもいいし、何枚か原稿を取ってから行なっても良いし、装置が使われていない時に行なっても良い。
【００６６】
上記の説明は移動体を一体型のもので描いてあるが、２：１光学系画像読取装置でも、ＣＩＳ型の走行光学系でも、同じような構成にすることができ、効果は同じように得られる。
【００６７】
なお、図では第１の反射率一定の部材２０と移動体２３の間にコンタクトガラス３が無いように描いてあるが、コンタクトガラス３の透過率を考慮するため、第１の反射率一定の部材２０と移動体２３の間にコンタクトガラス３を入れる構成にしても良い。
【００６８】
本実施形態では、反射率一定の部材を複数箇所で読取ることで、副走査方向の光量の変動が把握できる。この変動量の把握は、変動分を読取画像から削除することで、副走査方向の光量変動をキャンセルすることに使える。このことにより、高品質の読取画像を得ることができる。
【００６９】
また、反射率一定の部材を複数箇所で読取り、副走査方向の読取値の違いを比較することで、原稿に照射される光量が、副走査方向で変化する量を把握でき、その変動分を読取画像から削除することで、副走査方向の光量変動をキャンセルできる。それにより、高品質の読取画像を得ることができる。なお、これを行なう際、画像の読取毎に上記の処理をしていたのでは時間がかかるので、一度取得したデータ（補正値）を装置内に記録することで、処理のスピードを速めることができる。
【００７０】
（実施形態５）
次に、実施形態５について、図１０を用いて説明する。図１０は、本実施形態における基準板の第４の構成図である。
【００７１】
図７から９では、第１の反射率一定の部材２０は、装置に付いていたが、これを取外し可能な物にし、製造時にこの値を読ませ、補正値を装置に記憶させ、補正に使用する方法で生産した物が、図１０の装置である。この時、補正データは、図にはない外部の計算装置で処理しても、装置の制御部でない部的に処理しても良い。
【００７２】
本実施形態では、第１の反射率が一定な部材２０の取り外しが可能で、取得した補正データは装置内に保存されるため、出来上がった製品毎に反射率が一定の部品を取り付ける必要が無くなり、装置の簡略化が図れる。また、組立する物の部品ごとに反射率の管理をする必要が無く（組立で使う一つの部材のみ管理すればよい）、安定した品質の画像読取装置の生産が行なえる。
【００７３】
（実施形態６）
次に、実施形態６について、図１１を用いて説明する。図１１は、本実施形態の画像読取装置を有する画像形成装置の構成を示す概略図である。
【００７４】
図１１に示す本実施形態の画像形成装置は、実施形態１から実施形態５で実施された画像読取装置３２を含む。次に、その構成について説明する。
【００７５】
ＡＤＦ３１（ＡＤＦ：Automatic Document Feeder）は、原稿台２６と、給送ローラ２７と、給送ベルト２８と、原稿セット検知手段２９と、排送ローラ３０とで構成される。ＡＤＦ３１にある原稿台２６に原稿の画像面を上にして置かれた原稿は、ユーザによって、操作部上のプリントキーが押下されると、一番下の原稿から給送ローラ２７、給送ベルト２８によってコンタクトガラス３上の所定の位置に給送される。コンタクトガラス３上に給送された原稿は、実施形態１から５で実施された画像読取装置３２によって原稿の画像データが読み取られ、画像書込装置２５にて画像情報が書き込まれる。書き込みが終了した原稿は、給送ベルト２８および排送ローラ３０によって排出される。さらに、原稿セット検知手段２９にて原稿台２６に次の原稿があることを検知した場合には、次の原稿が前原稿と同様にコンタクトガラス３上に給送される。なお、給送ローラ２７、給送ベルト２８、排送ローラ３０は、モータなどによって駆動される。
【００７６】
次に、給紙トレイ３８、３９、４０、４１に積載された転写紙は、給紙装置３５、３６、３７により給紙される。給紙された転写紙は、縦搬送ユニット３４により感光体４３に当接する位置まで搬送される。画像読取装置３２で読み込まれた画像データは画像書込装置２５によって、感光体４３に書き込まれ、現像ユニット３３を通過する際にトナー像が形成される。そして転写紙は、搬送ベルト４４によって感光体４３の回転速度と等速で搬送されながら、感光体４３上に形成されたトナー像が転写されることになる。その後転写紙は、定着ユニット４７にて画像が定着され、経路切り替えのための分岐爪４６より排出方向へ選択された場合、排紙ユニット４２から排出トレイ４５へと排出される。
【００７７】
こうすることによって排出された原稿は、安定した読取画像を得ているため、高品質な画像の形成が行なうことができる。
【００７８】
なお、実施形態４、５の装置または製造方法で作られた物は、移動体２３が副走査方向に移動する際に光源２２から移動体２３に照射される光量が一定でなくても、補正を行なうことができるので、安定的に画像を読むことが可能になる。
【００７９】
また、図示はしなかったが、光源２２と光源２２に電力を供給する電源には、電気的アースを確実に取るなどのノイズの対策が施されている。
【００８０】
本実施形態では、光源２２からの熱が、画像結像用レンズ１４や撮像素子１３、また、それらを保持する部材に伝わりにくいので、素子の形状や位置が熱により変化することが少なく、光学的なレイアウトが変形することが少ないので、光学特性が安定し、高品質な読取画像を得ることができる。
【００８１】
また、従来のユニットに乗せることができないような集光効果の高い大型なミラーを使うことができるので、小さな光源で従来と同等の光量を原稿に与えることができ、省エネルギーにも貢献することができる。
【００８２】
また、移動するユニットの重量を軽くすることができるため、移動体２３の高速化ができる。また、光源２２は高周波を発生する物が採用されることが多いが、光源２２が固定されているため、光源２２から発生するノイズの対策がとりやすい。
【００８３】
本実施形態では、光源２２をキャリッジとは別に置くものを考案し、これにより、光源２２の発熱による読取特性の悪化を防ぐことができ、軽量化による省エネ化や高速化が出来きるようになった。また、高周波を発信する光源２２が動かないため、ノイズ対策も取りやすくなっている
【産業上の利用可能性】
【００８４】
本発明を利用すれば、画像を取り込む装置分野全般に応用が可能である。
【図面の簡単な説明】
【００８５】
【図１】本実施形態における一体型走査光学系の構造を示す全体図である。
【図２】本実施形態における一体型走査光学系の構造を示す詳細図である。
【図３】本実施形態における２：１光学系画像読取装置の構造を示す全体図である。
【図４】本実施形態における２：１光学系画像読取装置の構造を示す詳細図である。
【図５】本実施形態におけるＣＩＳ型ユニットの構造を示す全体図である。
【図６】本実施形態におけるＣＩＳ型ユニットの構造を示す詳細図である。
【図７】本実施形態における基準板の第１の構成図である。
【図８】本実施形態における基準板の第２の構成図である。
【図９】本実施形態における基準板の第３の構成図である。
【図１０】本実施形態における基準板の第４の構成図である。
【図１１】本実施形態の画像読取装置を有する画像形成装置の構成を示す概略図である
【符号の説明】
【００８６】
１    第１のポジション
２    第２のポジション
３    コンタクトガラス
４    リフレクタ付き光源
５    スキャナ筐体
６    一体型ユニットの筐体
７    ＣＩＳ型ユニットの筐体
８    第１の照明用ミラー
９    第２の照明用ミラー
１０    平行光用ミラー
１１    平行光用レンズ
１２    画像結像用折り返しミラー
１３    撮像素子
１４    画像結像用レンズ
１５    第１のキャリッジ
１６    第２のキャリッジ
１７    第１のキャリッジの筐体
１８    第２のキャリッジの筐体
１９    光路
２０    第１の反射率一定の部材
２１    第２の反射率一定の部材
２２    光源
２３    移動体
２４    原稿読取範囲
２５    画像書込装置
２６    原稿台
２７    給送ローラ
２８    給送ベルト
２９    原稿セット検知手段
３０    排送ローラ
３１    ＡＤＦ
３２    画像読取装置
３３    現像ユニット
３４    縦搬送ユニット
３５、３６、３７    給紙装置
３８、３９、４０、４１    給紙トレイ
４２    排紙トレイ
４３    感光体
４４    搬送ベルト
４５    排出トレイ
４６    分岐爪
４７    定着ユニット
【図１】
2008042766.tif 000003
【図２】
2008042766.tif 000004
【図３】
2008042766.tif 000005
【図４】
2008042766.tif 000006
【図５】
2008042766.tif 000007
【図６】
2008042766.tif 000008
【図７】
2008042766.tif 000009
【図８】
2008042766.tif 000010
【図９】
2008042766.tif 000011
【図１０】
2008042766.tif 000012
【図１１】
2008042766.tif 000013